【手続補正書】
【提出日】平成17年10月28日(2005.10.28)
【手続補正１】
【補正対象書類名】特許請求の範囲
【補正対象項目名】全文
【補正方法】変更
【補正の内容】
【特許請求の範囲】
【請求項１】
インターネット・ブラウザをインストールしたコンピュータを所有する買物客が、サポートされたマーチャント・ウエブサイトでのオンライン・ショッピングを簡便化する方法であって、
（ａ）ショッピング・アシスタント・ボタンを前記インターネット・ブラウザのツールバーに追加し、かつマーチャント・ウエブサイトがサポートされたマーチャント・ウエブサイトであるかどうかを決定するためのコンピュータ・コードを伝送するステップと、
（ｂ）前記買物客から予め受け取っている第１セキュリティ保護キーによりセキュリティ保護処理を施した買物客用のウォレットをサーバ上のデータベース内に作成するステップと、
（ｃ）前記買物客から第２セキュリティ保護キーを受け取るステップと、
（ｄ）前記第１セキュリティ保護キーと前記第２セキュリティ保護キーとを比較するステップと、
（ｅ）前記第１セキュリティ保護キーと前記第２セキュリティ保護キーとが同一であれば、前記コンピュータへ前記ウォレットを伝送するステップと、
を備える、方法。
【請求項２】
サポートされたマーチャント・ルールとマッピングファイルとを前記サポートされたマーチャントに提供するステップを更に備え、
前記ステップ（ａ）が、前記ウォレットと、前記サポートされたマーチャント・ルールおよびマッピングファイルとを用いて前記サポートされたマーチャント・ウエブサイトのチェックアウト・ウエブページに自動的に記入を行うコンピュータ・コードを伝送するステップを更に備える、請求項１に記載の方法。
【請求項３】
前記ショッピング・アシスタント・ボタンがプルダウン・メニューを備える、請求項１に記載の方法。
【請求項４】
前記ステップ（ｂ）が、
前記インターネット・ブラウザにより表示する対象ウエブページを伝送するステップと、
前記ウエブページで前記買物客により入力された買物客データを受け取るステップと、
前記データベース内に前記買物客用のウォレットとして前記買物客データの少なくとも一部を格納するステップと、
を備える、請求項１に記載の方法。
【請求項５】
前記ステップ（ａ）が、前記インターネット・ブラウザに行わせるナビゲーションの行き先を示す個々のインターネット・サイトのインターネットアドレスをインターセプトすることにより、前記インターネット・ブラウザの前記インターネットナビゲーションをモニタするコンピュータ・コードを伝送するステップを更に備える、請求項１に記載の方法。
【請求項６】
前記サポートされたマーチャント用のサポートされたマーチャント・ルールとマッピングファイルとを提供するステップを更に備え、
前記ステップ（ａ）が、前記ウォレットと、前記サポートされたマーチャント・ルールおよびマッピングファイルとを用いて、前記サポートされたマーチャント・ウエブサイトのチェックアウト・ウエブページに自動的に記入を行うコンピュータ・コードを伝送するステップを更に備える、請求項５に記載の方法。
【請求項７】
前記サポートされたマーチャント用のサポートされたマーチャント・データファイルを通信するステップを更に備える、請求項１に記載の方法。
【請求項８】
前記ステップ（ａ）が、前記インターネット・ブラウザに行わせるナビゲーションの行き先を示す個々のインターネット・サイトのインターネットアドレスと、前記サポートされたマーチャント・データファイルとを比較することにより、マーチャント・ウエブサイトがサポートされたマーチャント・ウエブサイトであるかどうかを判断するステップを更に備える、請求項７に記載の方法。
【請求項９】
前記インターネット・ブラウザが、サポートされたマーチャント・ウエブサイトを閲覧している時、前記コンピュータ・コードが前記ショッピング・アシスタント・ボタン用インジケータを提供する、請求項７に記載の方法。
【請求項１０】
前記ステップ（ａ）が、前記ブラウザが受け取った個々のウエブページをインターセプトし、前記インターセプトされたウエブページで提供されるｈｔｍｌコードとＨＴＴＰ応答ヘッダとによりウエブページの種別を判別するコンピュータ・コードを伝送するステップを更に備える、請求項１に記載の方法。
【請求項１１】
前記ステップ（ｅ）がセキュリティ・クッキーを前記コンピュータへ伝送するステップを備える、請求項１に記載の方法。
【請求項１２】
インターネット・ブラウザによりコンピュータ・ディスプレイに表示可能なインターネット・ブラウザ・インターフェイスであって、
ツールバーと、
前記ツールバー内のショッピング・アシスタント・ボタンとを備え、前記ショッピング・アシスタント・ボタンが
前記インターネット・ブラウザに行わせるナビゲーションの行き先を示す個々のインターネット・サイトのインターネットアドレスをインターセプトし、
前記インターネット・ブラウザに行わせるナビゲーションの行き先を示すウエブサイトが、サポートされたマーチャント・ウエブサイトであるかどうかを判断し、
前記ウエブサイトがサポートされたマーチャント・ウエブサイトであれば、ウォレットと、サポートされたマーチャント・ルールおよびマッピングファイルとを用いて、前記サポートされたマーチャント・ウエブサイトのチェックアウト・ウエブページに自動的に記入を行う
ための、前記コンピュータのプロセッサを用いて実行可能なコンピュータ・コードにより規定される、インターネット・ブラウザ・インターフェイス。
【請求項１３】
前記インターネット・ブラウザに行わせるナビゲーションの行き先を示す個々のインターネット・サイトのインターネットアドレスと、サポートされたマーチャント・データファイルとを比較することにより、前記インターネット・ブラウザに行わせるナビゲーションの行き先を示すウエブサイトが、サポートされたマーチャント・ウエブサイトであるかどうかを前記判断ステップにより判断するステップを備える、請求項１２に記載のインターネット・ブラウザ・インターフェイス。
【請求項１４】
前記ショッピング・アシスタント・ボタンがプルダウン・メニューを備える、請求項１２に記載のインターネット・ブラウザ・インターフェイス。
【請求項１５】
ツールバーと前記ショッピング・アシスタント・ボタンとを前記インターネット・ブラウザ・インターフェイスに追加する前記コンピュータ・コードが前記プロセッサを用いて更に実行可能である、請求項１２に記載のインターネット・ブラウザ・インターフェイス。
【請求項１６】
サポートされたマーチャント・ウエブサイトへのナビゲーションを前記インターネット・ブラウザに行わせる時、前記ショッピング・アシスタント・ボタンがインジケータを提供する、請求項１２に記載のインターネット・ブラウザ・インターフェイス。
【請求項１７】
前記ブラウザが受け取った個々のウエブページをインターセプトし、前記インターセプトされたウエブページで提供されるｈｔｍｌコードとＨＴＴＰ応答ヘッダとによりウエブページの種別を判別する事が、前記コンピュータ・コードが前記プロセッサを用いてさらに実行可能である、請求項１２に記載のインターネット・ブラウザ・インターフェイス。
【請求項１８】
インターネット・ブラウザを備えたコンピュータを所有する買物客がオンライン・ショッピングを簡便化するためのシステムであり、
前記システムがサーバを備え、前記サーバが、
データベースを有するデータ格納装置と、
ソフトウェアを用いて実行可能なプロセッサとを備え、
前記ソフトウェアが、
ショッピング・アシスタント・ボタンを前記インターネット・ブラウザのツールバーに追加するショッピング・アシスタント用コンピュータ・コードを伝送し、
前記インターネット・ブラウザによりナビゲートされるウエブサイトがサポートされているマーチャント・ウエブサイトであるかどうかを決定し、
第１セキュリティ保護キーを含むウォレット・データを前記買物客から受け取り、
前記第１セキュリティ保護キーによりセキュリティ保護処理を施した前記買物客用のウォレットを前記データベース内に作成し、
前記買物客から第２セキュリティ保護キーを受け取り、
前記第１セキュリティ保護キーと前記第２セキュリティ保護キーとを比較し、
前記第１セキュリティ保護キーと第２セキュリティ保護キーとが同一であれば、前記コンピュータへ前記ウォレットを伝送する
ためのソフトウェアであるように構成される、システム。
【請求項１９】
前記サーバがセキュリティ保護処理を施したサーバである、請求項１８に記載のシステム。
【請求項２０】
前記買物客が、サポートされたマーチャント・ウエブサイトへのナビゲーションを前記インターネット・ブラウザに行わせた時、サポートされたマーチャント・ルールとマッピングファイルとを提供するソフトウェアを用いて前記プロセッサがさらに実行可能であり、
前記ショッピング・アシスタントコードが、前記ウォレットと、サポートされたマーチャント・ルールおよびマッピングファイルとを用いて、前記サポートされたマーチャント・ウエブサイトのチェックアウト・ウエブページに自動的に記入を行う、
請求項１８に記載のシステム。
【請求項２１】
インターネット・ブラウザをインストールしたコンピュータを所有する買物客が、サポートされたマーチャント・ウエブサイトでのオンライン・ショッピングを簡便化する方法であって、
前記方法が、ショッピング・アシスタント・ボタンを前記インターネット・ブラウザに追加するコンピュータ・コードを伝送するステップを備え、
前記コンピュータ・コードが、
前記インターネット・ブラウザに行わせるナビゲーションの行き先を示す個々のインターネット・サイトのインターネットアドレスをインターセプトし、
前記インターネット・ブラウザに行わせるナビゲーションの行き先を示すウエブサイトが、サポートされたマーチャント・ウエブサイトであるかどうかを判断し、
前記ウエブサイトがサポートされたマーチャント・ウエブサイトであれば、ウォレットと、サポートされたマーチャント・ルールおよびマッピングファイルとを用いて、前記サポートされたマーチャント・ウエブサイトのチェックアウト・ウエブページに自動的に記入を行う、
方法。
【請求項２２】
前記伝送するステップが、前記インターネット・ブラウザのショッピング・アシスタント・ボタンとツールバーとを追加するコンピュータ・コードを伝送するステップを更に備える、請求項２１に記載の方法。
【請求項２３】
サポートされたマーチャント・ウエブサイトへのナビゲーションを前記インターネット・ブラウザに行わせる時、前記ショッピング・アシスタント・ボタンがインジケータを更に提供する、請求項２１に記載の方法。
【請求項２４】
前記インターネット・ブラウザに行わせるナビゲーションの行き先を示す個々のインターネット・サイトのインターネットアドレスと、サポートされたマーチャント・データファイルとを比較することにより、前記インターネット・ブラウザに行わせるナビゲーションの行き先を示すウエブサイトが、サポートされたマーチャント・ウエブサイトであるかどうかを前記コンピュータ・コードが判断する、請求項２１に記載の方法。
【請求項２５】
ブラウザによりコンピュータ・ディスプレイに表示可能なインターネット・ブラウザ・インターフェイスを動的に制御する方法であって、前記方法において、前記コンピュータのデータ格納装置にファイルを配置し、該ファイルによってショッピング・アシスタントインターフェイス・オブジェクトを規定し、前記方法が、
（ａ）前記コンピュータとブラウザのユーザが前記ブラウザを起動させるとき、前記ファイルを開かせるステップと、
（ｂ）所定のインターネット・サイトとの接続を前記ブラウザに確立させるステップと、
（ｃ）前記ショッピング・アシスタントインターフェイス・オブジェクトの全部または一部を規定するための情報を前記所定のインターネット・サイトから前記ファイルで受け取るステップと、
（ｄ）前記ブラウザが起動されている間、前記コンピュータ・ディスプレイに前記インターネット・ブラウザ・インターフェイスと共に前記ショッピング・アシスタントインターフェイス・オブジェクトを表示するステップと、
（ｅ）前記ブラウザが起動されている間、前記ファイルが閉じるのを防止するステップと、
を備える、方法。
【請求項２６】
（ｆ）前記所定のインターネット・サイトとの接続を前記ブラウザに周期的に確立させるステップと、
（ｇ）前記ショッピング・アシスタントインターフェイス・オブジェクトの全部または一部を規定する追加情報を前記所定のインターネット・サイトから前記ファイルで受け取るステップとを更に備える、請求項２５に記載の方法。
【請求項２７】
前記ステップ（ｅ）が、前記ファイルが閉じられることを防止するためのプログラムループを実行するステップを更に備える、請求項２５に記載の方法。
【請求項２８】
前記ブラウザがもはや起動されなくなったとき、前記プログラムループを終了させるステップを更に備える、請求項２７に記載の方法。
【請求項２９】
前記ステップ（ｂ）が所定のインターネット・サイトとの接続を前記ブラウザに自動的に確立させる、請求項２５に記載の方法。
【請求項３０】
前記ファイルが、
前記インターネット・ブラウザに行わせるナビゲーションの行き先を示す個々のインターネット・サイトのインターネットアドレスをインターセプトし、
前記インターネット・ブラウザに行わせるナビゲーションの行き先を示すウエブサイトがサポートされたマーチャント・ウエブサイトであるかどうかを判断し、
前記ウエブサイトがサポートされたマーチャント・ウエブサイトであれば、ウォレットと、サポートされたマーチャント・ルールおよびマッピングファイルとを用いて、サポートされたマーチャント・ウエブサイトのチェックアウト・ウエブページに自動的に記入を行う
コンピュータ・コードを含む、請求項２５に記載の方法。
【請求項３１】
前記ファイルが、ショッピング・アシスタント・ボタンと前記インターネット・ブラウザのツールバーとを追加するコンピュータ・コードを含む、請求項２５に記載の方法。
【請求項３２】
サポートされたマーチャント・ウエブサイトへのナビゲーションを前記インターネット・ブラウザに行わせる時、前記ファイルがインジケータを提供するコンピュータ・コードを含む、請求項２５に記載の方法。
【請求項３３】
前記ファイルが、サポートされたマーチャント・データファイルと、前記インターネット・ブラウザに行わせるナビゲーションの行き先を示す個々のインターネット・サイトのインターネットアドレスとを比較することにより、前記インターネット・ブラウザに行わせるナビゲーションの行き先を示すウエブサイトが、サポートされたマーチャント・ウエブサイトであるかどうかを判断するコンピュータ・コードを含む、請求項２５に記載の方法。
【請求項３４】
所定のインターネット・サイトへのアクセスをインターネット・ブラウザに行わせる方法であって、
（ａ）ショッピング・アシスタントインターフェイス・オブジェクトの規定と、前記インターネット・ブラウザに対する命令とを含むファイルをコンピュータに提供するステップと、
（ｂ）前記コンピュータのユーザによる前記インターネット・ブラウザの起動時に、かつ、前記ファイル内の前記命令に応じて、前記所定のインターネット・サイトとの接続を前記インターネット・ブラウザに自動的に確立させるステップと、
を備える、方法。
【請求項３５】
前記ショッピング・アシスタントインターフェイス・オブジェクトの全部または一部を規定する情報を前記所定のインターネット・サイトから前記ファイルで受け取るステップを更に備える、請求項３４に記載の方法。
【請求項３６】
前記ファイルが、
前記インターネット・ブラウザに行わせるナビゲーションの行き先を示す個々のインターネット・サイトのインターネットアドレスをインターセプトし、
前記インターネット・ブラウザに行わせるナビゲーションの行き先を示すウエブサイトがサポートされたマーチャント・ウエブサイトであるかどうかを判断し、
前記ウエブサイトがサポートされたマーチャント・ウエブサイトであれば、ウォレットと、サポートされたマーチャント・ルールおよびマッピングファイルとを用いて、サポートされたマーチャント・ウエブサイトのチェックアウト・ウエブページに自動的に記入を行う
コンピュータ・コードを含む、請求項３４に記載の方法。
【請求項３７】
前記ファイルが、ショッピング・アシスタント・ボタンと前記インターネット・ブラウザのツールバーとを追加するコンピュータ・コードを含む、請求項３４に記載の方法。
【請求項３８】
サポートされたマーチャント・ウエブサイトへのナビゲーションを前記インターネット・ブラウザに行わせる時、前記ファイルが、インジケータを提供するコンピュータ・コードを含む、請求項３４に記載の方法。
【請求項３９】
前記ファイルが、サポートされたマーチャント・データファイルと、前記インターネット・ブラウザに行わせるナビゲーションの行き先を示す個々のインターネット・サイトのインターネットアドレスとを比較することにより、前記インターネット・ブラウザに行わせるナビゲーションの行き先を示すウエブサイトが、サポートされたマーチャント・ウエブサイトであるかどうかを判断するコンピュータ・コードを含む、請求項３４に記載の方法。
【請求項４０】
インターネット・ブラウザによりコンピュータ・ディスプレイに表示可能なインターネット・ブラウザ・インターフェイスであって、
前記インターネット・ブラウザ・インターフェイスが、前記ブラウザが起動されている間、前記インターネット・ブラウザ・インターフェイスと共に表示され、前記ブラウザを介して前記コンピュータが接続されている接続先のインターネット・サイトに関係無く、所定のインターネット・サイトとのリンクを提供するアクティブＸコントロールショッピング・アシスタントインターフェイス・オブジェクトを備える、
インターネット・ブラウザ・インターフェイス。
【請求項４１】
前記アクティブＸコントロールショッピング・アシスタントインターフェイス・オブジェクトが、前記所定のインターネット・サイトとの接続を前記インターネット・ブラウザに確立させる、請求項４０に記載のインターネット・ブラウザ・インターフェイス。
【請求項４２】
インターネット・ブラウザによりコンピュータ・ディスプレイに表示可能なインターネット・ブラウザ・インターフェイスであって、前記ブラウザが起動されている間、前記インターネット・ブラウザ・インターフェイスと共に表示され、前記ブラウザを介して前記コンピュータが接続されている接続先のインターネット・サイトに関係無く、所定のインターネット・サイトとのリンクを提供するプラグイン・アシスタント・インターフェイス・オブジェクトを含む、インターネット・ブラウザ・インターフェイス。
【請求項４３】
前記プラグイン・ショッピング・アシスタント・インターフェイス・オブジェクトが、
前記所定のインターネット・サイトとの接続を前記インターネット・ブラウザに確立させ
る、請求項４２に記載のインターネット・ブラウザ・インターフェイス。
【請求項４４】
インターネット・ブラウザによりコンピュータ・ディスプレイに表示可能なインターネット・ブラウザ・インターフェイスを制御する方法であって、
前記インターネット・ブラウザが、前記コンピュータのユーザとインターネット・ブラウザとに前記インターネットのアクセスとナビゲーションを行う事が出来るようにし、さらに、１以上のインターネット・サイトから１以上のウエブページを受け取り、所定のインターネット・サイトからのウエブページの表示を含めて、上記１以上のウエブページを前記コンピュータ・ディスプレイに表示出来るようにし、
前記インターネット・ブラウザは、前記コンピュータの前記ユーザと、インターネット・ブラウザとに所定の機能を提供する少なくとも１つのツールバーボタンを持つ少なくとも１つのインターネット・ブラウザ用ツールバーを有し、
前記方法が、
（ａ）前記所定のインターネット・サイトにおいて、前記インターネット・ブラウザ・インターフェイスを制御するプログラムへのアクセスを提供するステップと、
（ｂ）前記所定のインターネット・サイトにより、前記インターネット・ブラウザ・インターフェイスの一部として、ユーザ用ツールバーと、ショッピング・アシスタント・インターフェイス・オブジェクトとを表示するためのファイルのダウンロードを利用可能にするステップと、
を備える、方法。
【請求項４５】
前記ファイルがアクティブＸコントロールを備える、請求項４４に記載の方法。
【請求項４６】
前記ファイルがプラグインを備える、請求項４４に記載の方法。
【請求項４７】
前記ショッピング・アシスタントインターフェイス・オブジェクトがツールバーボタンである、請求項４４に記載の方法。
【請求項４８】
前記ファイルが、
前記インターネット・ブラウザに行わせるナビゲーションの行き先を示す個々のインターネット・サイトのインターネットアドレスをインターセプトし、
前記インターネット・ブラウザに行わせるナビゲーションの行き先を示すウエブサイトがサポートされたマーチャント・ウエブサイトであるかどうかを判断し、
前記ウエブサイトがサポートされたマーチャント・ウエブサイトであれば、ウォレットと、サポートされたマーチャント・ルールおよびマッピングファイルとを用いて、サポートされたマーチャント・ウエブサイトのチェックアウト・ウエブページに自動的に記入を行う
コンピュータ・コードを含む、請求項４４に記載の方法。
【請求項４９】
前記ファイルが、ショッピング・アシスタント・ボタンと前記インターネット・ブラウザのツールバーとを追加するコンピュータ・コードを含む、請求項４４に記載の方法。
【請求項５０】
サポートされたマーチャント・ウエブサイトへのナビゲーションを前記インターネット・ブラウザに行わせる時、前記ファイルがインジケータを提供するコンピュータ・コード
を含む、請求項４４に記載の方法。
【請求項５１】
前記ファイルが、サポートされたマーチャント・データファイルと、前記インターネット・ブラウザに行わせるナビゲーションの行き先を示す個々のインターネット・サイトのインターネットアドレスとを比較することにより、前記インターネット・ブラウザに行わせるナビゲーションの行き先を示すウエブサイトがサポートされたマーチャント・ウエブサイトであるかどうかを判断するコンピュータ・コードを含む、請求項４４に記載の方法。
【請求項５２】
インターネット・ブラウザによりコンピュータ・ディスプレイに表示可能なインターネット・ブラウザ・インターフェイスを制御するシステムであって、
前記インターネット・ブラウザ・インターフェイスを制御するために前記コンピュータのユーザによりインターネットでアクセス可能なプログラムを含むサーバと、
前記インターネット・ブラウザ・インターフェイスを制御するために前記コンピュータへ前記サーバによりダウンロード可能なファイルと、
を備え、
前記ダウンロード可能なファイルによって、ユーザ・ツールバーと、ショッピング・アシスタント・インターフェイス・オブジェクトとが前記ブラウザ・インターフェイスに追加され、前記インターネット・ブラウザを介して前記コンピュータが接続されている接続先のインターネット・サイトに関係無く、前記インターネット・ブラウザが起動されている間、前記インターネット・ブラウザ・インターフェイスの一部として、前記ユーザ・ツールバーと、前記ショッピング・アシスタント・インターフェイス・オブジェクトとが前記コンピュータ・ディスプレイに表示される、システム。
【請求項５３】
前記ショッピング・アシスタント・インターフェイス・オブジェクトがアクティブＸコントロールを備える、請求項５２に記載のシステム。
【請求項５４】
前記ショッピング・アシスタント・インターフェイス・オブジェクトがプラグインを備える、請求項５２に記載のシステム。
【請求項５５】
前記ファイルが、
前記インターネット・ブラウザに行わせるナビゲーションの行き先を示す個々のインターネット・サイトのインターネットアドレスをインターセプトし、
前記インターネット・ブラウザに行わせるナビゲーションの行き先を示すウエブサイトがサポートされたマーチャント・ウエブサイトであるかどうかを判断し、
前記ウエブサイトがサポートされたマーチャント・ウエブサイトであれば、ウォレットと、サポートされたマーチャント・ルールおよびマッピングファイルとを用いて、サポートされたマーチャント・ウエブサイトのチェックアウト・ウエブページに自動的に記入を行う
コンピュータ・コードを含む、請求項５２に記載のシステム。
【請求項５６】
前記ファイルが、ショッピング・アシスタント・ボタンと前記インターネット・ブラウザのツールバーとを追加するコンピュータ・コードを含む、請求項５２に記載のシステム。
【請求項５７】
サポートされたマーチャント・ウエブサイトへのナビゲーションを前記インターネット・ブラウザに行わせるとき、前記ファイルがインジケータを提供するコンピュータ・コードを含む、請求項５２に記載のシステム。
【請求項５８】
前記ファイルが、サポートされたマーチャント・データファイルと、前記インターネット・ブラウザに行わせるナビゲーションの行き先を示す個々のインターネット・サイトのインターネットアドレスとを比較することにより、前記インターネット・ブラウザに行わせるナビゲーションの行き先を示すウエブサイトがサポートされたマーチャント・ウエブサイトであるかどうかを判断するコンピュータ・コードを含む、請求項５２に記載のシステム。
【請求項５９】
前記マーチャント・データファイルはサポートされたマーチャント・ルールおよびマッピング情報である、請求項７に記載の方法。
【請求項６０】
インターネット・ブラウザをインストールしたコンピュータを所有する買物客が、サポートされたマーチャント・ウエブサイトでのオンライン・ショッピングを簡便化する方法であって、
（ａ）ショッピング・アシスタント・ボタンを前記インターネット・ブラウザのツールバーに追加するコンピュータ・コードを伝送するステップと、
（ｂ）前記買物客から予め受け取っている第１セキュリティ保護キーによりセキュリティ保護処理を施した買物客用のウォレットをサーバ上のデータベース内に作成するステップと、
（ｃ）前記インターネット・ブラウザによりナビゲートされるマーチャント・ウエブサイトがサポートされたマーチャント・ウエブサイトであるかどうかを決定し、かつサポートされたマーチャント・ウエブサイトへのナビゲーションを前記インターネット・ブラウザに行わせるとき、前記ショッピング・アシスタント・ボタンはインジケータを更に提供するステップと、
（ｄ）前記買物客から第２セキュリティ保護キーを受け取るステップと、
（ｅ）前記第１セキュリティ保護キーと前記第２セキュリティ保護キーとを比較するステップと、
（ｆ）前記第１セキュリティ保護キーと前記第２セキュリティ保護キーとが同一であれば、前記コンピュータへ前記ウォレットを伝送するステップと、
を備える、方法。
【手続補正２】
【補正対象書類名】明細書
【補正対象項目名】０１１５
【補正方法】変更
【補正の内容】
【０１１５】
このショッピング・アシスタント機能は、サーバ１０２によりユーザのコンピュータ５０へダウンロードされるショッピング・アシスタント・コンピュータ・コードまたはソフトウェアによっても提供され、この機能はブラウザ・インターフェイス２０とショッピング・アシスタント・ボタン１４４と接続して実行可能である。ショッピング・アシスタントコードは、例えば、ｄｌｌファイルや．ｅｘｅファイル、Ｊａｖａ（登録商標）Ｓｃｒｉｐｔあるいはその他の公知の種類のコンピュータ・コードファイルやソフトウェアファイルであってもよい。ショッピング・アシスタントコードは、異なるインターネットアドレスへのナビゲーションをユーザがブラウザに行わせる度に、インターネットアドレス（またはドメインやＵＲＬ）をインターセプトすることによりインターネット・ブラウザのインターネットナビゲーションのモニタを行う。ショッピング・アシスタントコードは、サポートされたマーチャントのインターネットアドレスを含むサポートされたマーチャント・ファイルとインターセプトされたアドレスとの比較を行うことにより、インターセプトされたインターネットアドレスと、サポートされたマーチャントのインターネットアドレスとの比較を行う。サポートされたマーチャント・ファイルは、サーバ１０２によりダウンロードされ、ユーザのコンピュータ５０に格納されていることが望ましい。ユーザがサーバ１０２内へログを行う度に、サーバ１０２はサポートされたマーチャント・ファイルのそのバージョンと、ユーザのコンピュータ５０に格納されたバージョンとの比較を行う（例えば、このバージョン情報はログイン処理中ユーザが送信することも可能である）。サーバ１０２は、必要に応じて、サポートされたマーチャント・ファイルの更新バージョンをユーザのコンピュータへダウンロードする。ショッピング・アシスタントコードも、ブラウザが受信した個々のウエブページをインターセプトし、ウエブページの種別（例えば、課金ウエブページ、マーチャント・ホームページ、商品ページなど）をｈｔｍｌコードとＨＴＴＰ応答ヘッダとにより判別する。
【手続補正３】
【補正対象書類名】明細書
【補正対象項目名】０１１９
【補正方法】変更
【補正の内容】
【０１１９】
例示のウォレット設定ウエブページが図１２に示され、全体が１０００として参照される。例えば、ショッピング・アシスタント・ボタン１４４のプルダウン・メニュー４４の"ウォレット編集"オプションを介して上記ウエブページ１０００にアクセスする事が出来る。例えば、"ウォレット設定"リンク１００２のような、ウォレット設定ウエブページ１０００の所定のリンクを選択することにより、図１３に示されているようなウォレット・データ入力ウエブページ１０１０がサーバ１０２によりダウンロードされる。ウォレット・データ入力ウエブページ１０１０で、ユーザは複数のフィールド１０１２に一定情報の入力（プルダウン・メニューまたは英数字エントリ）を行う。この情報は、本発明を限定しない例として、クレジットカードタイプ、クレジットカード番号、クレジットカードの期限切れの日付、ユーザの姓名、料金請求先、電話番号、ユーザＩＤ、ユーザパスワード並びにユーザ固有のその他の種々の情報となることが考えられる。ウォレットの設定時に、個々のユーザは、ユーザのウォレットを利用するために、ユーザＩＤとパスワードの他に、必要なセキュリティ保護キー（図１５などを参照のこと）の入力も求められる。ウォレット・データ入力ウエブページ１０１０内の必要なフィールド１０１２のすべてに記入を行うと、ユーザは"終了"ボタン（図示せず）を選択する事が出来る。これによって、ユーザ入力情報がサーバ１０２へ送信される。これに応じて、サーバ１０２は、図１４に示されているように、最終的にユーザのウォレットを設定する前にユーザが再査するために、新しく入力されたユーザのアカウント情報の要約１０２２を含むウォレット・サマリ・ウエブページ１０２０のダウンロードを行う。ユーザ情報が正しければ、ユーザは、例えば、"続ける場合にはここをクリック"と指示されたリンク１０２４などのウォレット・サマリ・ウエブページ１０２０のリンクを選択することができ、ユーザ情報（データ）はサーバ１０２へ送信され、データ格納装置１０６のウォレット・データベース１０４に格納される。今説明したウォレット設定処理手順中、データはサーバ１０２とユーザのコンピュータ５０（図１０などを参照のこと）との間で送信される。例えば、ユーザが"ウォレット設定"リンク１００２を選択したとき、ウエブページ１０００（図１２）と１０１０（図１１）の双方をサーバ１０２により送信して、ユーザはブラウザ・インターフェイス２０にこれらのウエブページを表示する事が出来る。ユーザがウォレット・データ入力ウエブページ１０１０で必要な情報の入力を終了し、"終了"ボタン（図示せず）を選択したとき、ユーザ情報即ちユーザデータをサーバ１０２へ送信する事が出来る。ユーザのコンピュータ５０からのユーザ情報の受信時に、サーバ１０２はウォレット・サマリ・ウエブページ１０２０を送信する事が出来る。上記とは別に、サーバ１０２は、（ユーザによるリンクまたはボタンの選択時などの）ユーザ開始アクションに応じて別々に上述のウエブページの各々を送信することも可能である。
【手続補正４】
【補正対象書類名】明細書
【補正対象項目名】０１２６
【補正方法】変更
【補正の内容】
【０１２６】
ショッピング・アシスタントコードも、ブラウザが受信した個々のウエブページをインターセプトし、ｈｔｍｌコードとＨＴＴＰ応答ヘッダを見ることにより、課金ページ、電子メールアドレス要求、クレジットカード情報要求などのウエブページの種別を判別する。上記情報は、マーチャントのプロバイダの選択中、および、サポートされたマーチャント・データファイルの作成中に取得したものである。マーチャントのルールとマッピングファイルとを用いて、ショッピング・アシスタントコードは、サービスを受ける専用ページと、そのページでのユーザ情報の提供方法とを決定する事が出来る。